(57)【特許請求の範囲】
【請求項１】
被写体を撮像する本体部と、
前記被写体を照明する照明光を発生する発光面を有する発光部と、
前記発光部を保持し、前記本体部に対して回転可能に前記本体部から軸支される脚部と、
前記脚部が前記本体に沿って格納され、且つ、前記発光面が前記本体部に対向した場合に、前記発光部を前記本体部に係止する係止対と
を備え、前記発光部は、前記被写体に対して照明光を直接に照射する直接照明位置と前記被写体を間接的に照明するバウンス位置との間で前記脚部に対して回転自在であり、且つ、当該回転に対して抵抗があり、外力が作用していない場合に前記脚部に対して前記直接照明位置または前記バウンス位置を維持する撮像装置。
【請求項２】
前記係止対は、前記脚部が前記本体に沿って格納され、且つ、前記発光部が前記本体部に対向した場合に、前記本体部において前記発光部に対向する領域に配された係止部を含む請求項１に記載の撮像装置。
【請求項３】
前記係止対は、前記脚部が前記本体に沿って格納され、且つ、前記発光部が前記本体部に対向する状態から回転した場合に、前記係止部から遠ざかる位置に配された被係止部を含む請求項２に記載の撮像装置。
【請求項４】
前記係止部は、前記脚部の回転軸と平行な方向に移動して前記被係止部と係合する係合爪を含む請求項３に記載の撮像装置。
【請求項５】
前記係止部は、前記脚部の回転軸と直交する方向に移動して前記被係止部と係合する係合爪を含む請求項３に記載の撮像装置。
【請求項６】
前記脚部を、前記本体部に沿って格納される位置から、前記発光部を前記本体部から遠ざける位置に向かって回転させるべく、前記本体部に対して前記脚部を付勢する付勢部を更に備える請求項１から請求項５までのいずれか一項に記載の撮像装置。
【請求項７】
前記付勢部の付勢力に抗して前記脚部を前記本体部に沿って格納させる方向に回転させる力よりも小さな規制力により、前記発光部の前記脚部に対する回転を規制する回転規制部を更に備える請求項６に記載の撮像装置。
【発明の詳細な説明】
【技術分野】
【０００１】
本発明は撮像装置に関する。
【背景技術】
【０００２】
下記の特許文献１には、カメラボディ頭部に収容され、使用する場合には起立して発光する内蔵式フラッシュ機構であって、更に、発光ユニットを回転可能にしてバウンス機能を設けたフラッシュ機構が記載されている。
【先行技術文献】
【特許文献】
【０００３】
【特許文献１】特開２００６−０７８５０６号公報
【発明の概要】
【発明が解決しようとする課題】
【０００４】
バウンス機能を設けたことにより、発光ユニットは単独でも回転する。このため、発光ユニットが回転したままの状態で内蔵式フラッシュ機構をカメラボディに格納すると、発光ユニットの発光窓が露出したままになり得る。しかしながら、透明な発光窓が露出していると、汚れあるいは損傷を受けて、照明装置としての性能に影響が生じる場合がある。
【課題を解決するための手段】
【０００５】
そこで、上記課題を解決すべく、被写体を撮像する本体部と、被写体を照明する照明光を発生する発光面を有する発光部と、発光部を回転可能に保持し、且つ、本体部に対して回転可能に本体部から軸支される脚部と、脚部が本体に沿って格納され、且つ、発光面が本体部に対向した場合に、発光部を本体部に係止する係止対とを備える撮像装置が提供される。
【図面の簡単な説明】
【０００６】
【図１】撮像装置１００全体の斜視図である。
【図２】直接照明位置にある照明部２００の断面図である。
【図３】直接照明位置にある照明部２００の背面図である。
【図４】直接照明位置にある照明部２００の正面図である。
【図５】格納位置にある照明部２００の模式的断面図である。
【図６】格納位置にある照明部２００の背面図である。
【図７】格納位置にある照明部２００の正面図である。
【図８】撮像装置１００の斜視図である。
【図９】バウンス照明位置にある照明部２００の側面図である。
【図１０】バウンス照明位置にある照明部２００の正面図である。
【図１１】バウンス照明位置にある照明部２００の背面図である。
【図１２】バウンス照明位置にある照明部２００の正面図である。
【発明を実施するための形態】
【０００７】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決に必須であるとは限らない。
【０００８】
図１は、起立した照明部２００を含む撮像装置１００全体を示す斜視図である。撮像装置１００は、撮像装置筐体１１０と、撮像装置筐体１１０の上面に配された照明部２００とを備える。
【０００９】
撮像装置筐体１１０は、向かって左側の肩部に、電源スイッチ１２０およびシャッタレリーズボタン１３０を有する。ユーザが電源スイッチ１２０を操作することにより、撮像装置１００は、動作を開始または終了する。また、電源スイッチ１２０が投入された状態でユーザがシャッタレリーズボタン１３０を押し下げた場合は、撮像対象の光像がイメージセンサ上に結ばれ、当該光像が電気信号に変換される。
【００１０】
撮像装置筐体１１０の前面には、マウント１４０が配される。マウント１４０は、撮像装置筐体１１０の内部に収容されたメインミラー１５０前の開口を包囲する平坦面を有する。これにより、マウント１４０に装着されるレンズユニットを位置決めする。
【００１１】
撮像装置筐体１１０の内部において、メインミラー１５０の後方にはイメージセンサが配される。マウント１４０に装着されたレンズユニットは、イメージセンサ若しくはイメージセンサと共役な位置に配されたフォーシシングスクリーンに被写体の光像を結ぶ。
【００１２】
図示のようにメインミラー１５０が降下している場合、レンズユニットが結んだ像は、撮像装置筐体１１０内部においてメインミラー１５０の上方に位置するフォーカシングスクリーンに結ばれる。また、メインミラー１５０が上昇している場合、レンズユニットが結んだ像は、メインミラー１５０の後方に配されたイメージセンサに結ばれる。
【００１３】
なお、撮像装置筐体１１０上面には、隆起したファインダ光学系収容部１１２が配される。ファインダ光学系収容部１１２には、ペンタプリズムまたはペンタミラーを含むファインダ光学系が収容される。これにより、フォーカシンズスクリーンに結ばれた像を、撮像装置筐体１１０の背面側に配されたファインダから観察できる。
【００１４】
撮像装置筐体１１０の上面には照明部２００が配される。照明部２００は、脚部２１０および発光部２３０を有する。
【００１５】
脚部２１０は、ファインダ光学系収容部１１２を跨いで配され、下端を撮像装置筐体１１０に結合される。起立した脚部２１０の背面は、一体的に形成された脚部カバー２１４により覆われる。起立した脚部２１０の前面は、裏面カバー２１２により覆われる。これにより、後述する照明部２００の内部機構が裏面カバー２１２および脚部カバー２１４により保護されると共に、脚部２１０の強度が向上される。
【００１６】
脚部２１０は、起立した場合の上端近傍に発光部２３０を支持する。これにより、発光部２３０は、撮像装置筐体１１０から上方に離間した状態で支持される。発光部２３０は、発光部筐体２３２、発光部カバー２３４、発光窓２３６およびリブ２３８を含む。
【００１７】
発光部筐体２３２は、脚部２１０が起立した状態における背面を発光部カバー２３４に覆われる。または発光部筐体２３２は、図示の状態における前面を、透明な発光窓２３６により覆われる。リブ２３８は、発光部筐体２３２と一体的に形成され、発光窓２３６の下縁に沿って配される。
【００１８】
図２は、図１に示した照明部２００を、撮像装置筐体１１０の側方から見た様子を示す側面図である。このとき、照明部２００は直接照明位置にある。なお、図１と共通な要素には同じ参照番号を付して重複する説明を省く。
【００１９】
脚部２１０は、脚部カバー２１４と一体的に形成された回動軸２１３を有する。回動軸２１３は、回動自在に撮像装置筐体１１０から支持される。
【００２０】
また、脚部２１０は、回動軸２１３を挿通された捩じりバネ２１１を有する。捩じりバネ２１１は、一端を撮像装置筐体１１０に当接させ、他端を脚部カバー２１４に保持される。捩じりバネ２１１は、脚部２１０の先端が撮像装置筐体１１０から遠ざかる方向に脚部を付勢する。これにより、脚部２１０は、撮像装置筐体１１０上で起立した状態が維持される。
【００２１】
発光部２３０は、発光部筐体２３２と一体的に形成された回転軸２３３を有する。回転軸２３３は、脚部カバー２１４から回転自在に支持される。これにより、発光部筐体２３２を、脚部２１０に対して回転させることができる。発光部カバー２３４、発光窓２３６およびリブ２３８も、発光部筐体２３２と共に回転する。
【００２２】
発光部筐体２３２が回転軸２３３の回りに回転した場合、発光窓２３６も発光部筐体２３２と共に回転するので、発光部２３０が放射した照明光Ｆの照射方向が変化する。図示の状態では、発光窓２３６は略直立しており、照明光Ｆは、撮像装置１００の被写体に対して、照明光を直接に照射する。
【００２３】
なお、撮像装置筐体１１０の上面は、脚部カバー２１４の前面と略相補的な形状の部分を有する。このため、脚部２１０を撮像装置筐体１１０に沿って格納した場合に、発光部２３０のリブ２３８に対応する部分に、リブ２３８との干渉を避けて溝部１１４が配される。更に、溝部１１４の内部には、ラッチ爪１１９が配される。ラッチ爪１１９の形状と動作については後述する。
【００２４】
図３は、直接照明位置にある照明部２００の背面図である。図１および図２と共通な要素には同じ参照番号を付して重複する説明を省く。
【００２５】
照明部２００は、脚部カバー２１４および発光部カバー２３４を有する。脚部カバー２１４は、脚部２１０を含む照明部２００全体の背面を一体的に覆う。
【００２６】
また、発光部２３０が直接照明位置にある場合、脚部カバー２１４および発光部カバー２３４は、照明部２００の背面において連続した面をなす。この状態で脚部２１０が格納位置に回動した場合、脚部カバー２１４および発光部カバー２３４は、撮像装置筐体１１０の表面と円滑に連続する面をなす。これにより、照明部２００を格納した場合の撮像装置１００の実効的な寸法が小型化され、撮像装置１００の携帯性が向上される。
【００２７】
なお、脚部カバー２１４の下端には、一対の回動軸２１３が一体的に成形される。また、一対の脚部２１０の間には、ファインダ光学系収容部１１２との干渉を避ける目的で、脚部カバー２１４に大きな切欠き部２１５が形成されている。
【００２８】
図４は、直接照明位置にある照明部２００の正面図である。ただし、発光部２３０から発光窓２３６を取り外してある。なお、図１、図２および図３と共通な要素には同じ参照番号を付して重複する説明を省く。
【００２９】
図示の通り、発光部筐体２３２は、閃光光源としての放電管２３５を収容している。放電管２３５が発生した閃光は、発光窓２３６を通じて、照明光として前方（紙面に対して手前側）に放射される。なお、発光部筐体２３２には、放電管２３５の他に、トリガコイル、輝度センサ等を収容してもよい。
【００３０】
また、発光部筐体２３２の側方において、脚部カバー２１４には板バネ２１７が配される。板バネ２１７は、発光部筐体２３２を側方から抑えつける。これにより、発光部２３０は、脚部２１０に対して回転自在ではあるが、回転に対して抵抗があり、外力が作用していない場合は回転角度を維持する。
【００３１】
なお、発光部２３０の発光方向が水平になる等、発光部２３０が有意な角度になる場合に板バネ２１７が当接する発光部筐体２３２表面の位置に溝、段差等を設けて、発光部筐体２３２の回転にクリック感を与えてもよい。
【００３２】
図５は、撮像装置筐体１１０に対して格納位置にある照明部２００の模式的断面図である。他の図と共通な要素には同じ参照番号を付して重複する説明を省く。
【００３３】
格納された照明部２００においては、捩じりバネ２１１の付勢力に抗して、脚部２１０が撮像装置筐体１１０の上面に沿って倒れている。また、発光部２３０は、被写体を直接に照明する場合と同じ角度を脚部２１０に対してとっている。
【００３４】
このため、脚部カバー２１４と発光部カバー２３４とは円滑に連続した面をなしている。また、発光部２３０のリブ２３８は、撮像装置筐体１１０上面の溝部１１４に入り込んで、後述するように、ラッチ爪１１９と係合している。これにより、脚部２１０は、捩じりバネ２１１に抗して格納された状態を維持する。
【００３５】
図６は、格納位置にある照明部２００の背面図である。他の図と共通な要素には同じ参照番号を付して重複する説明を省く。なお、筐体側のファインダ光学系収容部１１２は除いて描かれる。
【００３６】
格納位置にある照明部２００において、脚部２１０は撮像装置筐体１１０の上面に沿って倒れる。発光部筐体２３２のリブ２３８の背面には、ラッチ穴２３９が形成されている。照明部２００が格納されている場合、撮像装置筐体１１０側のラッチ爪１１９がラッチ穴２３９と係合する。
【００３７】
また、発光部２３０が脚部２１０に対して直接照明の回転角度にあり、且つ、脚部２１０が格納位置にある場合、リブ２３８は、照明部２００において最も低い位置にある。このため、脚部２１０に対して回転自在な発光部２３０において照明部２００を撮像装置筐体１１０に係止しても、照明部２００全体が安定して係止された状態を保持する。これにより、捩じりバネ２１１の付勢にもかかわらず、脚部２１０が起立すべく回動することが係止される。
【００３８】
図７は、格納位置にある照明部２００の正面図である。他の図と共通な要素には同じ参照番号を付して重複する説明を省く。
【００３９】
脚部２１０が撮像装置筐体１１０に対して格納位置にあり、且つ、発光部２３０が脚部２１０に対して直接照明の回転角度にある場合、発光部カバー２３４および脚部カバー２１４は、撮像装置筐体１１０に対して滑らかに連続した面をなす。これより、照明部２００を格納した場合の撮像装置１００の実効的な寸法が小型化され、撮像装置１００の携帯性が向上される。
【００４０】
また、発光部２３０の発光窓２３６は、撮像装置筐体１１０に対向しており、外部に露出していない。これにより、透明部品である発光窓２３６の特性が、擦過、汚損等の影響を受けることが防止される。
【００４１】
図８は、撮像装置１００の斜視図である。ただし、この撮像装置１００において起立した照明部２００は、被写体を間接的に照明するバウンス位置にある。なお、他の図と共通な要素には同じ参照番号を付して重複する説明を省く。
【００４２】
撮像装置１００において、照明部２００の脚部２１０は、再び撮像装置筐体１１０から起立している。ただし、照明部２００の発光部２３０は、脚部２１０に対して回転して、撮像装置１００の被写体に対して上方を向いたバウンス位置にある。
【００４３】
図５から図８に示した状態において発光部２３０を撮像装置筐体１１０に対して係止していたラッチ爪１１９は、ボタン、レバー等の図示されていない操作部により、溝部１１４の延在方向に移動して、ラッチ穴２３９と係合を解く。これにより、照明部２００は開放され、捩じりバネ２１１の付勢に従って脚部２１０を撮像装置筐体１１０に対して起立させる。
【００４４】
なお、ラッチ穴２３９との係合を解いたラッチ爪１１９は、撮像装置筐体１１０の溝部１１４の内部に突出している。このため、突出したラッチ爪１１９が、ユーザの衣類等、ラッチ穴２３９以外のものに引っかかることはない。
【００４５】
図９は、バウンス位置にある照明部２００を含む撮像装置１００の側面図である。他の図と共通な要素には同じ参照番号を付して重複する説明を省く。
【００４６】
ラッチ爪１１９およびラッチ穴２３９の係合が解け、照明部２００の脚部２１０は、撮像装置筐体１１０から起立する。これにより、発光部２３０は、撮像装置筐体１１０から上方に離間した位置に保持される。
【００４７】
更に、発光部２３０は、脚部２１０に対して、回転軸２３３の回りに回転している。これにより、発光窓２３６が水平に対して上方を向く。これにより、発光部２３０が発光窓２３６から放射する照明光は、図中に矢印Ｆにより示す通り、撮像装置１００の被写体に対して上方に放射される。
【００４８】
発光窓２３６から放射された照明光は、撮像装置１００周囲の壁、天井等に向かって投射され、被写体はその反射光により間接的に照明される。こうして、照明光によりエッジの強い影が生じることを回避するバウンス撮影ができる。
【００４９】
図１０は、バウンス位置にある照明部２００を含む撮像装置１００の正面図である。他の図と共通な要素には同じ参照番号を付して重複する説明を省く。
【００５０】
図４と比較すると判るように、発光部２３０は、脚部カバー２１４の上端よりも更に上方に突出する。このとき、発光部筐体２３２が直接照明位置にある場合には見えなかったラッチ穴２３９が、発光部２３０の高さ方向中程よりもやや上に現れている。
【００５１】
図１１は、脚部２１０に対する発光部２３０の回転角度をバウンス位置にしたまま、脚部２１０を撮像装置筐体１１０に対して格納位置に回動させた場合の背面図である。他の図と共通の要素には同じ参照番号を付して重複する説明を省く。
【００５２】
図６と比較すると判るように、撮像装置筐体１１０側の溝部１１４およびラッチ爪１１９と脚部カバー２１４との位置関係は、図６の場合と同じになる。しかしながら、脚部２１０に対してバウンス位置にある発光部２３０は、図６の状態よりも上方に位置している。このため、ラッチ爪１１９は発光部２３０に届かない。従って、ラッチ爪１１９がラッチ穴２３９に係合することもない。
【００５３】
図１２は、図１１と同じ状態にある照明部２００の正面図である。他の図と共通な要素には同じ参照番号を付して重複する説明を省く。
【００５４】
図７と比較すると判るように、撮像装置筐体１１０側の溝部１１４およびラッチ爪１１９と脚部カバー２１４との位置関係は、図７の場合と同じになる。しかしながら、脚部２１０に対してバウンス位置にある発光部２３０では、ラッチ穴２３９が、紙面に対して交差する方向に開口する。
【００５５】
一方、ラッチ爪１１９は、図の紙面に対して平行に、撮像装置筐体１１０の溝部１１４から上方に向かって延在する。このため、発光部２３０を更に押し下げて、ラッチ穴２３９をラッチ爪１１９に届かせることができたとしても、ラッチ穴２３９およびラッチ爪１１９が係合することはない。
【００５６】
このように、発光部２３０が脚部２１０に対して直接照明位置にない場合は、ラッチ爪１１９およびラッチ穴２３９を係合させて、照明部２００を格納位置に係止することができない。これにより、発光部２３０の発光窓２３６が、撮像装置筐体１１０に対向していない状態では、照明部２００を格納した状態を維持することができない。換言すれば、発光窓２３６を外部に対して露出させた状態で、照明部２００を格納することが確実に防止される。
【００５７】
尚、上記実施の形態では、ラッチ爪１１９は、溝部１１４の長手方向と平行に、図中に矢印Ｒにより示す方向に移動することにより、ラッチ穴２３９と係合する。これにより、撮像装置１００の奥行き方向の寸法を拡大することなく係止構造を設けることができる。
【００５８】
上記の利点を活かす目的で、捩じりバネ２１１による脚部２１０の付勢力を、板バネ２１７による発光部２３０の回転角度保持力よりも大きくすることが好ましい。また、発光部２３０がバウンス照明位置から直接照明位置に向かって回転する場合に、発光部２３０が直接照明位置を越えて回転しないように規制する回転規制部を設けることが好ましい。
【００５９】
これにより発光部２３０がバウンス位置にある照明部２００を格納させる場合に、発光部２３０を撮像装置筐体１１０に向かって押し下げると、まず発光部２３０が直接照明位置に回転する。更に、そのまま発光部２３０を押し下げ続けると、発光部２３０と共に脚部２１０が格納位置に向かって回動する。従って、ひとつの操作で、発光部２３０の回転と脚部２１０の回動とを実行できる。
【００６０】
しかしながら、ラッチ爪１１９の向きを変え、図の紙面に対して直交する方向に移動してラッチ穴２３９と係合する構造とすることもできる。この場合、脚部２１０に対して発光部２３０がバウンス位置にある照明部２００を、先に脚部２１０を格納位置に回動させ、後から発光部２３０を直接照明位置に回転させても、ラッチ爪１１９およびラッチ穴２３９を係合させることができる。
【００６１】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが特許請求の範囲の記載から明らかである。
【符号の説明】
【００６２】
１００  撮像装置、１１０  撮像装置筐体、１１２  ファインダ光学系収容部、１１４  溝部、１１９  ラッチ爪、１２０  電源スイッチ、１３０  シャッタレリーズボタン、１４０  マウント、１５０  メインミラー、２００  照明部、２１０  脚部、２１１  捩じりバネ、２１２  裏面カバー、２１３  回動軸、２１４  脚部カバー、２１５  切欠き部、２１７  板バネ、２３０  発光部、２３２  発光部筐体、２３３  回転軸、２３４  発光部カバー、２３５  放電管、２３６  発光窓、２３８  リブ、２３９  ラッチ穴
【図１】
0005446784.tif 000002
【図２】
0005446784.tif 000003
【図３】
0005446784.tif 000004
【図４】
0005446784.tif 000005
【図５】
0005446784.tif 000006
【図６】
0005446784.tif 000007
【図７】
0005446784.tif 000008
【図８】
0005446784.tif 000009
【図９】
0005446784.tif 000010
【図１０】
0005446784.tif 000011
【図１１】
0005446784.tif 000012
【図１２】
0005446784.tif 000013